(57)【要約】 【課題】エアフィルタを空気調和機の室内機から取り外し、水洗いもしくは掃除機などで付着した塵埃を掃除するというメンテナンスを要した。【解決手段】本発明は室内機１に付着した塵埃を吸込む吸込み孔を有する吸込みノズル１６と、吸込みノズル１６に接続されて塵埃および室内側空気を吸込み排出する吸排気装置３０とを有するフィルター清掃装置を備え、フィルター清掃装置に一端が接続され、他端が室外に連通された排気ダクト１７とを備え、フィルター清掃装置から吸入された塵埃と室内側空気のいずれか一方または双方を排気ダクト１７から排出する。【選択図】図４
2006183996.tif 000002
【特許請求の範囲】
【請求項１】
室内機に付着した塵埃を吸込む吸込み孔を有する吸込みノズルと、前記吸込みノズルに接続されて塵埃および室内側空気を吸込み排出する吸排気装置とを少なくとも有するフィルター清掃装置を備え、前記フィルター清掃装置に一端が接続され、他端が室外に連通された排気ダクトとを備えた空気調和機であって、
前記フィルター清掃装置から吸入された塵埃と室内側空気のいずれか一方または双方を前記排気ダクトから排出することを特徴とする空気調和機。
【請求項２】
フィルター清掃装置に、換気用開口部及び前記換気用開口部を開閉する開閉体を設け、前記開閉装置の開時に室内側空気と吸排気装置を連通することを特徴とする請求項１に記載の空気調和機。
【請求項３】
換気用開口部及び前記換気用開口部を開閉する開閉体は、吸込みノズルの塵埃吸込み孔から吸排気装置の出口に至る流路のいずれかに設けられたことを特徴とする請求項２に記載の空気調和機。
【請求項４】
換気用開口部及び前記換気用開口部を開閉する開閉体は、吸排気装置に設けられたことを特徴とする請求項２に記載の空気調和機。
【請求項５】
換気用開口部及び前記換気用開口部を開閉する開閉体は、吸込みノズルに設けられたことを特徴とする請求項２に記載の空気調和機。
【請求項６】
換気用開口部及び前記換気用開口部を開閉する開閉体は開口部を有し、前記開口部は室内側空気を通過させることを特徴とする請求項２〜５のいずれか１項に記載の空気調和機。
【発明の詳細な説明】
【技術分野】
【０００１】
本発明は、エアフィルタを自動清掃可能な空気調和機に関するものである。
【背景技術】
【０００２】
送風ファンにより吸い込んだ空気を熱交換器で冷却もしくは加熱した後、室内へ送風する空気調和機には、空気中に漂う塵埃が室内機内部へ侵入することを防止するために、吸い込み部の裏側にエアフィルタが設けられている。このエアフィルタに塵埃が付着して堆積すると、通気抵抗が増大して空気調和機の室内機のＣＯＰ（成績係数＝（冷房能力／所要動力））が低下し、消費電力が増大するため、一般にエアフィルタは、付着した塵埃を清掃できるように着脱自在に構成されている。
【０００３】
しかし、このようにエアフィルタを着脱自在に構成した空気調和機では、空気調和機の使用頻度に応じて、比較的短期間の周期で、エアフィルタを空気調和機の室内機から取り外し、水洗いもしくは掃除機などで付着した塵埃を掃除するというメンテナンスを要し、多くの手間や時間がかかってしまう問題があった。
【０００４】
この問題に対処すべく、図１３、図１４に示すようなエアフィルタ装置５０が特開２００１−９９４７９号公報に提案されている。
このエアフィルタ装置５０では、帯状のエアフィルタ５１を、室内機の上部と下部とにそれぞれ配置した繰り出し／巻き取り用の軸５２、５３との間に渡って、吸い込み部５７、５８に裏面から臨むように掛け渡し、一方の軸５３をモータ５４などにより回転駆動させることでエアフィルタ５１を上下に移動自在に構成している。そして、このエアフィルタ５１の配置箇所下端部の近傍に、エアフィルタ５１に付着した塵埃を掃除する清掃用ブラシ５５を設けるとともに、この清掃用ブラシ５５の下方に、清掃用ブラシ５５により掻き落とされた塵埃を回収するダストボックス５６を配設している。
【０００５】
このエアフィルタ装置５０を備えた空気調和機によれば、所定操作を行ってエアフィルタ駆動用のモータ５４を駆動させることで、塵埃が付着したエアフィルタ５１が巻き取りられるとともにエアフィルタ５１の清掃動作が行われるため、エアフィルタ５１を取り外して水洗いするなどの手間を省くことができる。
【特許文献１】特開２００１−９９４７９号公報
【発明の開示】
【発明が解決しようとする課題】
【０００６】
しかしながら、前記特許文献１に開示されたエアフィルタ装置５０を備えた空気調和機によれば、エアフィルタ５１の清掃動作は自動的に行わせて手間を省けるものの、ダストボックス５６に回収された塵埃については人が清掃しなければならず、このダストボックス５６の清掃作業という定期的なメンテナンスを必要とし、このメンテナンスのための手間や時間がかかってしまう課題がある。
【課題を解決するための手段】
【０００７】
上記課題を解決するために本発明は、室内機に付着した塵埃を吸込む吸込み孔を有する吸込みノズルと、前記吸込みノズルに接続されて塵埃および室内側空気を吸込み排出する吸排気装置とを少なくとも有するフィルター清掃装置を備え、前記フィルター清掃装置に一端が接続され、他端が室外に連通された排気ダクトとを備えた空気調和機であって、前記フィルター清掃装置から吸入された塵埃と室内側空気のいずれか一方または双方を前記排気ダクトから排出することを特徴とする。
【０００８】
上記構成によれば、１つの吸排気装置により吸塵運転と換気運転とを兼用して行うことができるので、それぞれ吸塵用の吸排気装置と換気用の吸排気装置とを別個に設けた場合に比べて、収容スペースを抑えることができるとともに、製造コストも低減させることができる。
【０００９】
さらに、上記構成によれば、塵埃を屋外へ排出するのに用いるホースと換気に用いるホースを共用すると、部屋の壁面に設けるホース貫通用穴が単一で済む。従って、室内機の設置場所の制約が少なくなり、また壁面に開口させる穴の施工を一箇所にすることができ、施工工数の削減が図れる。
【００１０】
また、本発明はフィルター清掃装置に、換気用開口部及び前記換気用開口部を開閉する開閉体を設け、前記開閉装置の開時に室内側空気と吸排気装置を連通することを特徴とする。
【００１１】
また、本発明の換気用開口部及び前記換気用開口部を開閉する開閉体は、吸込みノズルの塵埃吸込み孔から吸排気装置の出口に至る流路のいずれかに設けられたことを特徴とする。
【００１２】
また、本発明の換気用開口部及び前記換気用開口部を開閉する開閉体は、吸排気装置に設けられたことを特徴とする。
また、本発明の換気用開口部及び前記換気用開口部を開閉する開閉体は、吸込みノズルに設けられたことを特徴とする。
【００１３】
また、本発明の換気用開口部及び前記換気用開口部を開閉する開閉体は、開閉装置は開口部を有し、前記開口部は室内側空気を通過させることを特徴とする。
【発明の効果】
【００１４】
本発明によれば、塵埃を屋外へ排出するのに用いるホースと換気に用いるホースを共用すると、部屋の壁面に設けるホース貫通用穴が単一で済む。従って、室内機の設置場所の制約が少なくなり、また壁面に開口させる穴の施工を一箇所にすることができ、施工工数の削減が図れる。
【発明を実施するための最良の形態】
【００１５】
以下、本発明の実施の形態について、図面を参照しながら説明する。
（実施の形態１）
図１〜図３に示すように、この空気調和機における室内機１は、両側面部や底面部をなす台枠２と、室内機１の前面部および上面部箇所に設けられ、網目状のフィルタ部８ａがフィルタ枠８ｂに多数はめ込まれてなるエアフィルタ８と、このエアフィルタ８の前方ならびに上方に開閉自在に取り付けられた外面パネル４などで、主な外殻部分が構成されている。外面パネル４の上面部と前面部とにはそれぞれ室内空気を吸い込む吸い込み部５、６が形成され、下部前方に吹き出し部７が形成されている。室内機１内における吸い込み部５、６と吹き出し部７とを結ぶ空気通路には、前記エアフィルタ８と２個の熱交換器９Ａ、９Ｂからなる熱交換器９とクロスフローファンからなる送風ファン１０とが配置されている。そして、送風ファン１０によって吸い込み部５、６から吸込まれた空気は、エアフィルタ８を通り、熱交換器９で冷却もしくは加熱された後、吹き出し部７から吹き出される。なお、吹き出し部７を囲むように、一方の熱交換器９Ａが送風ファン１０の上方から前方にわたって配置され、他方の熱交換器９Ｂが送風ファン１０の上方から後方にわたって配置されている。送風ファン１０による空気の送り出しをスムーズにするために、室内機１の背面近傍にリアガイダ１１が設けられているとともに、スタビライザ１２が水受け皿１３の端部に設けられている。なお、１４は風向き変更羽根である。
【００１６】
図４にも示すように、室内機１内の側面近傍には、エアフィルタ８に付着した塵埃を吸引して排出するための吸排気装置３０が設置されている。この吸排気装置３０の吸い込み側部分（吸い込みダクト接続口３１）には、蛇腹形状の吸い込みダクト１５を介して吸い込みノズル１６が接続されているとともに、吸排気装置３０の吹き出し側部分（排気ダクト接続口３２）には、その先端が室外へ連通されている排気ダクト１７が接続されている。
【００１７】
吸い込みノズル１６は、エアフィルタ８の風上側の面に臨むように奥行方向ならびに上下方向に延設された形状に形成されているとともに、その奥端部や下端部が、エアフィルタ８のフィルタ枠８ｂにおける上部奥端部や下端部に形成されたガイド溝８ｃ、８ｄに挿入され、エアフィルタ８の風上側面に沿う姿勢で左右に移動自在に案内されている。また、吸い込みノズル１６の下部は、左右に延びるように配置されたねじ軸１８に螺合されており、伝達ギヤ１９、２０を介してねじ軸１８をノズル駆動用モータ２１により駆動することで、吸い込みノズル１６が左右に移動される。
【００１８】
吸い込みノズル１６におけるエアフィルタ８に臨む面には、エアフィルタ８の上面部から前面部にかけて複数の吸い込み孔１６ａが並んで形成され、後述する吸排気装置３０の吸引動作により、各吸い込み孔１６ａからエアフィルタ８の塵埃を吸い込み可能に構成されている。
【００１９】
吸い込みノズル１６と吸排気装置３０の吸い込みダクト接続口３１とをつなぐ吸い込みダクト１５は、一部が屈曲することで、エアフィルタ８の左右方向の位置にかかわらず、吸排気装置３０への吸入用流路を良好に形成するようになっている。
【００２０】
図５〜図７に示すように、吸排気装置３０は、吸排気モータ３３により回転される遠心式の吸排気ファン３４と、この吸排気ファン３４を収容するケーシング３５と、このケーシング３５の風上側にケーシング３５と一体的に設けられた吸引カバー３６と、ケーシング３５などが取り付けられている取付基板３７とを有する。そして、図１などに示すように、吸排気装置３０（吸排気装置３０のケーシング３５および吸引カバー３６）が、室内機１内部の側面部において、上下方向ならびに奥行方向には延設されている一方、左右方向にはその厚みが小さい扁平形状に形成されて配置されている。また、図５〜図７に示すように、吸引カバー３６は、吸い込みダクト１５に接続された吸い込みダクト接続口３１と吸排気ファン３４への吸い込み口３８との両者が片面側に開口して臨むように形成され、側面視して、吸い込みダクト接続口３１の外周部分３１ａと吸排気ファン３４への吸い込み口３８の外周部分３８ａとをなだらかにつないだ流路形状（例えば、各種エンジンのピストンを接続するクランク軸を側方から見たようなクランク形状）に形成されている。なお、この第１の実施の形態では、吸い込みダクト接続口３１の外周部分３１ａと吸排気ファン３４への吸い込み口３８の外周部分３８ａとを直線的になだらかにつないでいる場合を示したが、これに限るものではなく、曲線によりなだらかにつないでもよい。また、この第１の実施の形態では、吸引カバー３６において、吸い込みダクト接続口３１から吸排気ファン３４への吸い込み口３８への流路が斜め上方に延びるように配置され、また、ケーシング３５の下部に設けられた排気口がそのまま方向に延ばされて排気ダクト接続口３２を形成している。
【００２１】
この構成において、エアフィルタ８の清掃を行う際には、所定の操作を行うなどして（例えば、清掃用ボタンを押すなどして）、吸排気モータ３３およびノズル駆動用モータ２１を駆動させる。すると、吸排気装置３０が作動した状態で、吸い込みノズル１６がエアフィルタ８の風上側の面に沿って移動し、この際、エアフィルタ８に付着した塵埃が空気とともに吸い込み孔１６ａを通して吸い込みノズル１６内に吸い込まれ、吸い込みダクト１５から吸排気装置３０に吸引された塵埃が空気とともに排気ダクト１７を通して室外に排出される。これにより、エアフィルタ８の塵埃を自動で室外に排出でき、塵埃の清掃作業を人が行わなくて済んでメンテナンスフリーを実現できる。
【００２２】
また、上記構成によれば、吸排気装置３０として、中央部から吸い込んで遠心力を利用しながら外周部から排気する遠心式の吸排気ファン３４を用いることで、低騒音とすることができる。さらに、ケーシング３５の風上側に一体的に吸引カバー３６を設け、この吸引カバー３６を、吸い込みダクト接続口３１と吸排気ファンへ３４の吸い込み口３８とが片面に開口して臨むように形成させ、側面視して、吸い込みダクト接続口３１の外周部分と前記吸い込み口３８の外周部分とをなだらかにつないだ流路形状に形成させたことで、吸い込みダクト１５からの塵埃を含んだ空気が吸引カバー３６内を良好な流速で、かつエアフィルタ８から吸った塵埃が吸引カバー３６の一部で滞留することなく、ケーシング３５内に吸い込まれて、良好に室外に排出される。
【００２３】
また、ケーシング３５および吸引カバー３６を、左右方向の厚みが小さい扁平形状に形成したり、吸排気モータ３３を吸排気ファン３４に内蔵させて配置したりすることで、吸排気装置３０を、室内機１の側面部にコンパクトに収容できるとともに、熱交換を行う流路に突出して支障をきたすようなことがなく、室内機１が大型化することを最小限に抑えることができる。
【００２４】
さらに、高風量・低騒音型のファンとして知られているシロッコファンを吸排気ファン３４として用いることによっても、吸排気装置３０を小型化することができるとともに、高速回転させても低騒音となるので、室内機１として適している。
【００２５】
また、吸い込みノズル１６をエアフィルタ８に沿って横方向に移動自在に構成することにより、エアフィルタ８が側面視して湾曲部を有したり、異形部を有したりする場合でも、エアフィルタ８の塵埃を良好に吸い込むことができる。
（実施の形態２）
次に、本発明の実施の形態２を、図８〜図１０を用いて説明する。
【００２６】
図８〜図１０に示すように、この空気調和機における室内機１は、以下の点で上記実施の形態１の室内機１と相違している。すなわち、この空気調和機における室内機１では、吸排気装置３０の吸引カバー３６の一部、ここでは上部に換気用開口部４０が形成されているとともに、この換気用開口部４０を開閉する開閉体４１が設けられている。開閉体４１は、開閉用モータなどを備えた開閉用駆動手段４２により回動される。
【００２７】
なお、この実施の形態２では、開閉体４１が略水平となって換気用開口部４０を閉鎖する閉鎖姿勢と、開閉体４１が前記閉鎖姿勢から斜め上方に回動して換気用開口部４０を開放する開放姿勢とにわたって回動するようになっている。また、吸排気ファン３４を駆動させる際の回転制御信号は、開閉体４１が閉鎖姿勢である場合と開放姿勢である場合との何れの場合も同じである。
【００２８】
この構成により、開閉用駆動手段４２を駆動させて開閉体４１を開放姿勢まで回動させ、吸引カバー３６の換気用開口部４０を開けると、この換気用開口部４０から、室内機１内に流入した室内の空気が吸い込まれ、吸排気装置３０の吸排気ファン３４によって吸引カバー３６からケーシング３５内に吸い込まれた空気が、排気ダクト１７から室外に排出される。これにより、室内の汚れるなどした空気を室外に排出して換気することができる。
【００２９】
この時、吸い込みノズル１６の吸い込み孔１６ａと吸引カバー３６の換気用開口部４０との２箇所から空気を吸引排気することとなるので、吸い込みノズル１６のみから空気を吸引排気する場合に比べて、吸排気ファン３４への負荷が軽くなり、換気風量を増加させることができる利点がある。
【００３０】
また、換気用開口部４０を吸引カバー３６の上部に設けたことにより、換気空気は、吸引カバー３６の上部から吸排気ファン３４のケーシング３５内を縦方向に縦断するように流れる。これにより、吸引カバー３６内やケーシング３５内に、換気空気に含まれた塵埃などが滞留することを防止できる。この結果、吸引カバー３６やケーシング３５内の流路が塵埃の滞留により狭くなって、通気抵抗が増大することを防止でき、良好な吸引状態を維持することができる。
【００３１】
なお、換気用開口部４０を吸引カバー３６の前面部や後面部に設けることも可能であるが、この場合には、塵埃が内部に滞留しないように何らかの工夫を施したり、清掃したりする必要がある。
【００３２】
さらに、上記構成によれば、１つの吸排気装置３０により吸塵運転と換気運転とを兼用して行うことができるので、それぞれ吸塵用の吸排気装置と換気用の吸排気装置とを別個に設けた場合に比べて、収容スペースを抑えることができるとともに、製造コストも低減させることができる。
（実施の形態３）
次に、本発明の実施の形態３を、図１１を用いて説明する。
【００３３】
図１１は本発明の実施の形態３に係る空気調和機の室内機における吸排気装置を概念的に示した図である。
図１１に示すように、この空気調和機における室内機１には、吸排気ファン３４を回転させる吸排気モータ３３の回転数を制御する制御部４３が設けられている。この制御部４３は、換気用開口部４０を閉塞して塵埃を吸い込む吸塵運転時と、換気用開口部４０を開放して室内の空気を吸い込む換気運転時とで吸排気ファン３４の回転数を異ならしめるように制御する。例えば、吸塵運転時には、吸い込みノズル１６のみから空気を吸引排気することとなり、吸い込みノズル１６および換気用開口部４０の２箇所から空気を吸引排気する場合に比べて吸排気ファン３４への負荷が大きくなるので、吸排気ファン３４の回転数を高くする。
【００３４】
この構成によれば、吸塵運転時と換気運転時とのそれぞれの場合における最適の排塵風量と換気風量を実現することができる。したがって、吸塵の際にはエアフィルタ８の塵埃を極めて良好に吸い込むことができ、また、換気運転時には、換気に適した量の室内空気を吸い込むことができる。
【００３５】
なお、上記の場合は、吸排気ファン３４の回転数を吸塵運転時に換気運転時よりも大きく設定した場合を述べたが、これに限るものではなく、吸い込みノズル１６の吸い込み孔１６ａの合計開口面積や吸引カバー３６の換気用開口部４０の開口面積などに応じて、それぞれ最適な回転数を設定すればよい。
（実施の形態４）
次に、本発明の実施の形態４を、図１２を用いて説明する。
【００３６】
図１２は本発明の実施の形態４における空気調和機の室内機の側面断面図である。
図１２に示すように、この空気調和機における室内機１では、遠心式の吸排気ファン３４として、ラジアルファンが用いられている。
【００３７】
この構成によれば、ラジアルファンは、シロッコファンより、かかる負荷が大きい時にも、低騒音を実現できるので、エアフィルタ８からの塵埃を除去するときの、吸引排気装置３０の運転騒音を低減することができる。
【００３８】
なお、吸排気ファン３４としては、シロッコファンやラジアルファンなどの遠心式のものを用いると、上述したように、吸排気装置３０の高風量、低騒音、小型化などの点で複数の利点を有するが、これに限るものではなく、遠心式以外の軸流ファンや斜流ファンなどを用いることも可能である。
【００３９】
また、上記何れの実施の形態においても、吸い込みノズル１６を移動させてエアフィルタ８の塵埃を除去する場合を述べたが、これに限るものではなく、吸い込みノズル１６からの吸引力を増大させることで、吸い込みノズル１６を移動させなくてもエアフィルタ８の塵埃を除去することは可能であり、さらには、エアフィルタ８を設けなくても、室内機１内に付着した塵埃を吸い込んで室外に排出することも可能である。
【産業上の利用可能性】
【００４０】
本発明にかかる空気調和機は、空気調和機以外の、室外に排気可能な環境に設置される機器に対しても適用可能である。
【図面の簡単な説明】
【００４１】
【図１】本発明の実施の形態１における空気調和機の室内機の正面外観図である。
【図２】同室内機の図１におけるＩ−Ｉ線で矢視した断面図である。
【図３】同室内機の図１におけるＩＩ−ＩＩ線で矢視した断面図である。
【図４】同室内機のエアフィルタおよびその清掃機構に関する構造を示した斜視図である。
【図５】同室内機に設けられた吸排気装置の簡略的な側面図である。
【図６】同吸排気装置の斜視図である。
【図７】同吸排気装置の概略的な正面断面図である。
【図８】本発明の第２の実施の形態における空気調和機の室内機の側面断面図である。
【図９】同空気調和機の室内機における吸排気装置の斜視図である。
【図１０】同吸排気装置の概略的な正面断面図である。
【図１１】本発明の第３の実施の形態に係る空気調和機の室内機における吸排気装置および制御部を概念的に示す図である。
【図１２】本発明の第４の実施の形態に係る空気調和機の室内機の吸排気装置の側面断面図である。
【図１３】従来の空気調和機の室内機の断面図である。
【図１４】同従来の空気調和機の室内機におけるエアフィルタおよびその清掃機構に関する構造を示した斜視図である。
【符号の説明】
【００４２】
１      室内機
５      吸い込み部
６      吸い込み部
７      吹き出し部
８      エアフィルタ
９      熱交換器
９Ａ      熱交換器
９Ｂ      熱交換器
１０      送風ファン
１５      吸い込みダクト
１６      吸い込みノズル
１６ａ    吸い込み孔
１７      排気ダクト１７
１８      ねじ軸
２１      ノズル駆動用モータ
３０      吸排気装置
３１      吸い込みダクト接続口
３２      排気ダクト接続口
３３      吸排気モータ
３４      吸排気ファン
３５      ケーシング
３６      吸引カバー
３８      吸い込み口
４０      換気用開口部
４１      開閉体
４２      開閉用駆動手段
４３      制御部
【図１】
2006183996.tif 000003
【図２】
2006183996.tif 000004
【図３】
2006183996.tif 000005
【図４】
2006183996.tif 000006
【図５】
2006183996.tif 000007
【図６】
2006183996.tif 000008
【図７】
2006183996.tif 000009
【図８】
2006183996.tif 000010
【図９】
2006183996.tif 000011
【図１０】
2006183996.tif 000012
【図１１】
2006183996.tif 000013
【図１２】
2006183996.tif 000014
【図１３】
2006183996.tif 000015
【図１４】
2006183996.tif 000016